(57)【要約】【課題】既存の商品陳列フック部材に後付けで適用できると共に、商品を前方に整然と陳列させるのに好適な後付け商品前出し具を提供すること。【解決手段】商品陳列バー１１ｂと商品陳列バー１１ｂの上方に位置する支持バー１１ａを備える既存の商品陳列フック部材に取り付けるものであって、支持バー１１ａにスライド移動自在に取り付けられるスライド支持部６及び商品陳列バー１１ｂに支持された商品を前方に押し付ける押圧本体部２１を備える商品押圧体２と、操作バー９と、を有し、スライド支持部６は２つの異径の嵌合孔４、５を横開口で且つ開口側から順に大径の第１嵌合孔４と小径の第２嵌合孔５を一部が重複した横並びで配設し、該２つの異径の嵌合孔のいずれか一方が支持バー１１ａに取り付けられる。【選択図】　　　　図１
2004016349.tif 000002
【特許請求の範囲】
【請求項１】
商品陳列バーと該商品陳列バーの上方に位置する支持バーを備える既存の商品陳列フック部材に着脱自在に取り付けるものであって、
前記支持バーにスライド移動自在に取り付けられるスライド支持部及び該スライド支持部と一体であり該商品陳列バーに支持された商品を前方に押し付ける押圧本体部を備える商品押圧体と、
後方部を該商品押圧体に取り付け先端部を前方へ延出させた操作バーと、
を有し、前記スライド支持部は２つの異径の嵌合孔を横開口で且つ開口側から順に大径の第１嵌合孔と小径の第２嵌合孔を一部が重複した横並びで配設し、該２つの異径の嵌合孔のいずれか一方が前記支持バーに取り付けられることを特徴とする後付け商品前出し具。
【請求項２】
前記大径の第１嵌合孔の開口は該第１嵌合孔の内径よりやや小さく、前記小径の第２嵌合孔の開口は該第２嵌合孔の内径よりやや小さくしたことを特徴とする請求項１記載の後付け商品前出し具。
【請求項３】
前記大径の第１嵌合孔は、６ｍｍ径の支持バーに取り付けられ、前記小径の第２嵌合孔は、５ｍｍ径の支持バーに取り付けられることを特徴とする請求項１又は２記載の後付け商品前出し具。
【発明の詳細な説明】
【０００１】
【発明の属する技術分野】
本発明は、スーパー及びドラッグストア等の商品陳列棚の商品陳列バーに商品を多数個吊り下げ状態に陳列する既存の商品陳列フック部材に後付けで取り付け、商品を前方に整然と陳列させるのに好適な後付け商品前出し具に関するものである。
【０００２】
【従来の技術】
従来、スーパー及びドラッグストア等の商品陳列で用いられる商品陳列フック部材は、商品陳列棚のバー部材に付設された係合片と、この係合片に後端部が固定され先端部が上方へ傾斜された商品陳列バーと、この商品陳列バーの上方に位置し、先端部に表示具が取り付けられ該商品陳列バーの後端部と連結された支持バーとで構成されている。
【０００３】
しかしながら、当該商品陳列フック部材は商品陳列バーに吊り下げられた商品を前方より取り外すため、吊り下げられた商品が少なくなると、商品陳列棚の後方に商品が位置し、商品が見え難くなるため前方へ移動させなければならず、その作業は煩雑で、手数がかかるという欠点がある。また、狭い間隔で商品が陳列されている場合には、前方に商品を引き出す際、隣の商品を移動させてしまうため、見苦しい陳列状態となり、その修正作業が必要になる等の欠点があった。
【０００４】
これを解決するものとして、商品陳列バーと商品陳列バーの上方に位置する支持バーを備える既存の商品陳列フック部材において、該支持バーにスライド移動自在に取り付けられ該商品陳列バーに支持された商品を前方に押し付けることができる押圧体を備える商品前出し具が提案され、あるいはこの商品前出し具に該押圧体を前方又は後方に自動的にスライド移動させるスプリングコイル等の弾性体手段を更に設けた商品前出し具が提案されている。これらの商品前出し具は商品陳列バーに吊り下げられた商品が常に前出しされているか、あるいは商品の前出し作業が容易である等、有用な商品前出し具として、市場での評判は高い。
【０００５】
【発明が解決しようとする課題】
しかしながら、スーパー及びドラッグストア等の商品陳列棚に設置されている既存の商品陳列フック部材は、吊り下げ商品の大きさ、重量あるいは商品陳列量等により様々である。このため、従来の商品前出し具はこれら様々な仕様の商品陳列フック部材に固設されたものであるか、あるいは着脱自在であっても、他の商品陳列フック部材に必ず適用できるというものではなかった。このため、既存の商品陳列フック部材に前出し機能を付与するためには、その商品陳列フック部材全体を商品前出し機能が付与された商品陳列フック部材に置き換える必要があり、設置コストが嵩むという問題があった。また、一度商品前出し機能を付与した商品陳列フック部材は元の商品前出し機能のない商品陳列フック部材に戻せないか、戻せても取り外した商品前出し具は他の商品陳列フック部材にはほとんど転用できないという問題もあった。
【０００６】
従って、本発明の目的は、既存の商品陳列フック部材に後付けで適用できると共に、商品を前方に整然と陳列させるのに好適な後付け商品前出し具を提供することにある。
【０００７】
【課題を解決するための手段】
かかる実情において、本発明者は鋭意検討を行った結果、商品陳列バーと該商品陳列バーの上方に位置する支持バーを備える既存の商品陳列フック部材は、支持バーの径が５ｍｍのものと、６ｍｍのものが大部分であること、従って、２つの異径の嵌合孔を横開口で且つ開口側から順に大径の第１嵌合孔と小径の第２嵌合孔を一部が重複した横並びで配設したスライド支持部を商品押圧体に設け、該第１嵌合孔には６ｍｍの支持バーを取り付け、該第２嵌合孔には５ｍｍの支持バーを取り付けるようにすれば、既存の商品陳列フック部材に後付けで適用できると共に、商品を前方に整然と陳列させるのに好適であることなどを見出し、本発明を完成するに至った。
【０００８】
すなわち、本発明（１）は、商品陳列バーと該商品陳列バーの上方に位置する支持バーを備える既存の商品陳列フック部材に着脱自在に取り付けるものであって、前記支持バーにスライド移動自在に取り付けられるスライド支持部及び該スライド支持部と一体であり該商品陳列バーに支持された商品を前方に押し付ける押圧本体部を備える商品押圧体と、後方部を該商品押圧体に取り付け先端部を前方へ延出させた操作バーと、を有し、前記スライド支持部は２つの異径の嵌合孔を横開口で且つ開口側から順に大径の第１嵌合孔と小径の第２嵌合孔を一部が重複した横並びで配設し、該２つの異径の嵌合孔のいずれか一方が前記支持バーに取り付けられる後付け商品前出し具、本発明（２）は、前記大径の第１嵌合孔の開口は該第１嵌合孔の内径よりやや小さく、前記小径の第２嵌合孔の開口は該第２嵌合孔の内径よりやや小さくした前記後付け商品前出し具、本発明（３）は、前記大径の第１嵌合孔は、６ｍｍ径の支持バーに取り付けられ、前記小径の第２嵌合孔は、５ｍｍ径の支持バーに取り付けられる前記後付け商品前出し具をそれぞれ提供するものである。
【０００９】
【発明の実施の形態】
次に、本発明の実施の形態における後付け商品前出し具（以下、単に「商品前出し具」とも言う）を図１〜図１１を参照して説明する。図１は本例の後付け商品前出し具の斜視図、図２は図１の商品前出し具の正面図、図３は本例の商品前出し具を６ｍｍ径の支持バーを有する商品陳列フック部材に装着する状態を示す図、図４は図３の状態に続くもので商品前出し具を商品陳列フック部材に装着した状態を示す図、図５は図４の状態に続くもので商品前出し具で商品を前出しする状況を説明する図、図６（Ａ）〜（Ｄ）は図３の商品前出し具の装着から前出しまでを示す側面図、図７は本例の商品前出し具を５ｍｍ径の支持バーを有する商品陳列フック部材に装着する状態を示す図、図８及び図９は本例の商品前出し具の５ｍｍ径支持バーへの装着（Ａ）及び６ｍｍ径支持バーへの装着（Ｂ）をそれぞれ説明する図、図１０は本例の商品前出し具が取り付けられる商品陳列フック部材の側面図、図１１は本例の商品前出し具が取り付けられる商品陳列棚の正面図である。但し、図８は簡略化のため押圧本体部の縁取りを省略した。また、図１１には簡略化のため商品前出し具の操作バーの記載を省略した。
【００１０】
図１において、商品前出し具１は、既存の商品陳列フック部材に着脱自在に後付けで取り付けるものであって、スライド支持部６と商品を前方に押し付ける押圧本体部２１を備える商品押圧体２と、後方部を商品押圧体２に取り付け先端部を前方へ延出させた操作バー９と、を有するものである。既存の商品陳列フック部材１１は、図１０及び図１１に示すように、商品陳列棚１４のバー部材１３に着脱自在に取り付けられるチャンネル状の係合片１０に後端部が溶接等によって固定され、先端部が上方へ傾斜された多数個のパッケージされた商品Ａを吊り下げる商品陳列バー１１ｂと、この商品陳列バー１１ｂの上部に位置し、後端部が係合片１０あるいは商品陳列バー１１ｂの後端部と一体化された支持バー１１ａを備えるものである。そして、支持バー１１ａは径５ｍｍと径６ｍｍの丸棒部材であって、その先端には嵌合固定された表示カードを貼着固定することができる表示具１２を有する。既存の商品陳列フック部材１１は、前出し機能はないものの、これ自体で商品陳列機能を発揮するものである。
【００１１】
スライド支持部６は、押圧本体部２１と一体であって、５ｍｍ又は６ｍｍのいずれかの支持バー１１ａにスライド自在に取り付けられ、押圧本体部２１を前後方向に移動させる機能を奏するものである。スライド支持部６は、２つの異径の嵌合孔４、５を横開口で且つ開口側から順に大径の第１嵌合孔４と小径の第２嵌合孔５を一部が重複した横並びで配設される横筒状部材であって、２つの異径の嵌合孔４、５のいずれか一方が支持バー１１ａに取り付けられる。大径の第１嵌合孔４は６ｍｍの支持バー１１ａに嵌合するものであって、その内径は６ｍｍよりやや大い。また、小径の第２嵌合孔５は５ｍｍの支持バー１１ａに嵌合するものであって、その内径は５ｍｍよりやや大きい。第１嵌合孔４の内径を６ｍｍよりやや大きくすることで、あるいは第２嵌合孔５の内径を５ｍｍよりやや大きくすることで、スライド支持部６が支持バー１１ａに対してスライド移動自在とすると共に、不慮の外力の作用で両者が容易に外れることがない嵌合状態を付与している。
【００１２】
また、２つの異径の嵌合孔４、５は図９に示すように、第１嵌合孔の開口寸法Ｙ２は第１嵌合孔４の内径Ｘ２よりやや小さく、第２嵌合孔の開口寸法Ｙ１は第２嵌合孔の内径Ｘ１よりやや小さくしている。具体的には、第１嵌合孔４の内径Ｘ２は６．２〜６．５ｍｍ、第１嵌合孔の開口寸法Ｙ２は５．４〜５．８ｍｍ、第２嵌合孔の内径Ｘ１は５．２〜５．５ｍｍ、第２嵌合孔の開口寸法Ｙ１は４．４〜４．８ｍｍである。開口寸法Ｙ１及びＹ２が大き過ぎると、嵌合孔への支持バー１１ａの嵌合は容易であるものの嵌合状態が緩く、確実な嵌合状態が得られないことがあり、一方、小さ過ぎると、支持バー１１ａが嵌合孔に嵌らないか、嵌り難くなる。
【００１３】
押圧本体部２は、操作バー９の操作によりスライド移動するスライド支持部６と一体であって、商品Ａを後面から当接し前方へ押し出しする機能を有するものであり、中抜き溝３を有する略平板状部材である。本例ではこの押圧本体部２１の前面は縁取りされており、薄板の強度を高めるようにしている。中抜き溝３の溝幅は商品陳列バー１１ｂの径よりやや大きくして、商品押圧体の前後移動において、障害とならないようにしている。また、中抜き溝３の長さ寸法は商品陳列フック部材１１に商品前出し具１を装着した場合、商品陳列バー１１ｂが入り込む長さである。中抜き溝３の溝幅及び長さが大き過ぎると商品押圧体を大きくしたりする必要があり全体のバランスが悪くなる。
【００１４】
操作バー９は、後方部９２を商品押圧体２の上方の後面に取り付け、先端部９１を前方へ延出させたもので、先端部９１を手で掴み引っ張り商品Ａを前出しすると共に、前出し作業終了後は先端部９１を手で掴み後方へ押しやることで、商品押圧体２を後方に待機状態にする機能を有する。商品押圧部２の後方部への操作バー９の取り付けは、操作バー９の先端部９１が上下方向に移動自在となるような固定方法が操作性の点で望ましい。また、スライド支持部６の上方には操作バー９が上下移動できる縦溝８を設けたガイド部７を付設し、操作バー９の収納（待機状態）と操作安定性を高めている。
【００１５】
次に、商品前出し具１を図６（Ａ）に示すような径６ｍｍの支持バーを備える商品陳列フック部材１１に取り付ける方法を図３〜図６を参照して説明する。先ず、商品前出し具１の商品押圧体２の中抜き溝３に商品陳列バー１１ｂが入り込むように装着する（図３）。次いで、スライド支持部６の第１嵌合部４に支持バー１１ａを嵌める。この嵌合は、支持バー１１ａの横側部分に第１嵌合部４の開口を当て、支持バー１１ａを開口内に押し込む。これにより、バネ弾性を有する第１嵌合部４の開口が少し開き、嵌合後は閉じるため両者の嵌合が可能となる（図４、図６（Ｂ）、図９（Ｂ））。なお、両者の押し込み力が強かったとしても、径６ｍｍの支持バー１１ａは第２嵌合部の開口寸法Ｙ１では到底入り込む余地がなく、第２嵌合部５に嵌合することはない。商品前出し具１を６ｍｍの支持バー１１ａを有する商品陳列フック部材１１に取り付けた状態で、商品押圧体２は正面視でやや左傾斜である（図８（Ｂ）。商品前出し具１を径６ｍｍの支持バー１１ａに取り付けた後、商品Ａは手前から売れていくから、残りの商品Ａは後方側に残る（図６（Ｃ））。次いで、作業者は操作バー９の先端部９１を手で掴み且つ引っ張る。これにより、スライド移動部６は支持バー１１ａに沿って移動すると共に、スライド移動部６と一体の押圧本体部２１が前出しされ、押圧本体部２１の前方にある陳列商品Ａは前出しされる（図５、図６（Ｄ））。商品の前出しが終われば、前方に延出された操作バー９はそのままであれば商品の取り出しの障害となったり、作業者や顧客の通行の邪魔になることもあり、後方に戻され待機状態に置かれる。
【００１６】
次に、商品前出し具１を径５ｍｍの支持バーを備える商品陳列フック部材１１に取り付ける方法を図７〜図９を参照して説明する。先ず、商品前出し具１の商品押圧体２の中抜き溝３に商品陳列バー１１ｂが入り込むように装着する。次いで、スライド支持部６の第２嵌合部５に支持バー１１ａを嵌める。この嵌合は、第１嵌合部４の開口を通った支持バー１１ａの横側部分に第２嵌合部５の開口を当て、支持バー１１ａをこの開口内に押し込む。これにより、バネ弾性を有する第２嵌合部５の開口が少し開き、嵌合後は閉じるため両者の嵌合が可能となる（図８（Ａ）、図９（Ａ））。商品前出し具１を５ｍｍの支持バー１１ａを有する商品陳列フック部材１１に取り付けた状態で、商品押圧体２は正面視でやや右傾斜である（図８（Ａ））。商品前出し具１を径５ｍｍの支持バー１１ａに取り付けた後の操作は、前述の商品前出し具１を径６ｍｍの支持バー１１ａに取り付けた態様の場合と同様である。
【００１７】
本例の商品前出し具１によれば、径５ｍｍ及び径６ｍｍの支持バー１１ａを有するいずれの商品陳列フック部材１１に対しても後付けで設置できる。このため、既存の商品陳列フック部材１１を全面的に取り替えることがなく、設置コストが低減できる。また、一度商品前出し機能を付与した商品陳列フック部材１１であっても、元の商品前出し機能のない商品陳列フック部材１１に簡単に戻することができる。また、その際、取り外された商品前出し具１は他の径５ｍｍ及び径６ｍｍの支持バー１１ａを有する商品陳列フック部材１１のいずれにも転用できため、在庫管理のやっかいな問題も解消できる。
【００１８】
【発明の効果】
本発明の商品前出し具によれば、既存の商品陳列フック部材に後付けで適用できると共に、商品を前方に整然と陳列させるのに好適である。
【図面の簡単な説明】
【図１】本実施の形態における後付け商品前出し具の斜視図である。
【図２】図１の商品前出し具の正面図である。
【図３】本例の商品前出し具を６ｍｍ径の支持バーを有する商品陳列フック部材に装着する状態を示す図である。
【図４】図３の状態に続くもので商品前出し具を商品陳列フック部材に装着した状態を示す図である。
【図５】図４の状態に続くもので商品前出し具で商品を前出しする状況を説明する図である。
【図６】（Ａ）〜（Ｄ）は図３の商品前出し具の装着から前出しまでを示す側面図である。
【図７】本例の商品前出し具を５ｍｍ径の支持バーを有する商品陳列フック部材に装着する状態を示す図である。
【図８】本例の商品前出し具の５ｍｍ径支持バーへの装着（Ａ）及び６ｍｍ径支持バーへの装着（Ｂ）をそれぞれ説明する図である。
【図９】本例の商品前出し具の５ｍｍ径支持バーへの装着（Ａ）及び６ｍｍ径支持バーへの装着（Ｂ）をそれぞれ説明する図である。
【図１０】本例の商品前出し具が取り付けられる商品陳列フック部材の側面図である。
【図１１】本例の商品前出し具が取り付けられる商品陳列棚の正面図である。
【符号の説明】
１　　　後付け商品前出し具
２　　　商品押圧体
３　　　中抜き溝
４　　　第１嵌合孔
５　　　第２嵌合孔
６　　　スライド支持部
７　　　操作バーのガイド部
８　　　縦溝
９　　　操作バー
１０　　　係合片
１１ａ　　支持バー
１１ｂ　　商品陳列バー
１１　　　商品陳列フック部材
１２　　　表示具
１３　　　バー部材
Ａ　　　　商品
Ｘ１　　　第２嵌合部の内径
Ｘ２　　　第１嵌合部の内径
Ｙ１　　　第２嵌合部の開口寸法
Ｙ２　　　第１嵌合部の開口寸法
【図１】
2004016349.tif 000003
【図２】
2004016349.tif 000004
【図３】
2004016349.tif 000005
【図４】
2004016349.tif 000006
【図５】
2004016349.tif 000007
【図６】
2004016349.tif 000008
【図７】
2004016349.tif 000009
【図８】
2004016349.tif 000010
【図９】
2004016349.tif 000011
【図１０】
2004016349.tif 000012
【図１１】
2004016349.tif 000013